(57)【特許請求の範囲】
【請求項１】
玄米を貯留する玄米ホッパーと、前記玄米ホッパーの排出口から落下した玄米が供給される精米室と、該精米室に内蔵された精米ロールと、該精米ロールの内部に設けられた噴風流路であって、送穀ロール部に噴風入口が設けられ、精白ロール部には穀粒通路に連通する噴風出口が設けられている噴風流路と、前記噴風入口に噴風を供給する噴風ファンと、前記噴風ファンと前記穀粒通路の上流側とを連通させる、開閉可能な噴風導入口と、除糠網を通して前記精米室内の糠を吸引する吸引ファンと、前記排出口を開閉する玄米シャッターと前記噴風導入口及び前記噴風入口に供給される噴風を制御する噴風シャッターとを有するシャッター機構と、を備えていることを特徴とする精米機。
【請求項２】
前記玄米シャッターと前記噴風シャッターは、シャッター板に一体に形成されていることを特徴する請求項１記載の精米機。
【請求項３】
前記噴風シャッターは、前記噴風導入口に連通する第1連通路を開閉する噴風導入口シャッターと、前記噴風入口に連通する第2連通路を開閉する噴風入口シャッターとを備えていることを特徴とする請求項１記載の精米機。
【請求項４】
前記噴風シャッターの下端部に、前記吸引ファンの吸引口を開閉する吸引口シャターが設けられていることを特徴とする請求項３記載の精米機。
【請求項５】
精米時には、前記吸引ファンにより精米室内の糠を吸引させるとともに、前記シャッター機構は前記噴風導入口を閉にして前記噴風ファンによる噴風を前記噴風入口のみに供給するように制御され、
残米排出時には、前記吸引ファンによる糠の吸引を停止させるとともに、前記シャッター機構は前記噴風導入口を開にして前記噴風ファンによる噴風を前記噴風入口及び前記精米室の穀粒通路の上流側に供給する様に制御されることを特徴とする請求項１記載の精米機。
【請求項６】
前記シャッター機構は、残米排出時に、前記噴風導入口への噴風供給量を前記噴風入口のそれより多くなるように制御することを特徴とする請求項１記載の精米機。
【請求項７】
前記吸引ファンと前記噴風ファンは、同一回転軸に設けられ、精米時には共に回転し、
残米排出時には、前記両ファンが同時に回転するか、又は、噴風ファンのみが回転することを特徴とする請求項１記載の精米機。
【発明の詳細な説明】
【技術分野】
【０００１】
本発明は、玄米を粒々摩擦して精米するとともに、精米後の残米を排出するように構成した精米機に関する。
【背景技術】
【０００２】
従来の精米機は、次のように構成されている。即ち、
横設する除糠網に挿嵌した精白ロールの回転駆動により、その間隙たる精白室内の玄米を精白するための精白機構と、玄米貯留タンクから精白室内へ玄米を落とし込むべき落とし込み口を開閉するシャッター機構と、精白室の精米出口端側に圧接して精白室内に滞在する玄米に対し印圧する圧迫板を備えた精白度調整器と、精白室内の上流側から下流側に向けて噴風を噴き込むための噴風式除去装置と、を備えた精米機（例えば、特許文献１、参照）。
【０００３】
【特許文献１】特開２００２−１４３７０１号公報
【発明の開示】
【発明が解決しようとする課題】
【０００４】
しかし、本発明者の検討によると、従来の精米機について新たな問題点が明らかになった。即ち、前記精米機にあっては、吸引ファンは設けられているものの、噴風ファンは設けられていない。そこで、精米時及び残米排出時には、吸引ファンから発生した噴風の流路をフラップにより切換えていた。
【０００５】
また、前記切換に連動して玄米の落とし込み口の開閉制御も行っていた。このため、噴風切り換え機構が複雑になっていた。更に、噴風として吸引ファンの吸引する風を用いるので、該風に含まれている糠が精米に付着し、汚れてしまう。
【０００６】
本発明は、前記問題点に鑑みてなされたものであり、その目的は構造が簡単である上に、精米及び精米後の残米排出を確実に行い得る精米機を提供することにある。
【課題を解決するための手段】
【０００７】
この発明は、玄米を貯留する玄米ホッパーと、前記玄米ホッパーの排出口から落下した玄米が供給される精米室と、該精米室に内蔵された精米ロールと、該精米ロールの内部に設けられた噴風流路であって、送穀ロール部に噴風入口が設けられ、精白ロール部には穀粒通路に連通する噴風出口が設けられている噴風流路と、前記噴風入口に噴風を供給する噴風ファンと、前記噴風ファンと前記穀粒通路の上流側とを連通させる、開閉可能な噴風導入口と、除糠網を通して前記精米室内の糠を吸引する吸引ファンと、前記排出口を開閉する玄米シャッターと前記噴風導入口及び前記噴風入口に供給される噴風を制御する噴風シャッターとを有するシャッター機構と、を備えていることを特徴とする。
【０００８】
この発明の前記玄米シャッターと前記噴風シャッターは、シャッター板に一体に形成されていることを特徴する。この発明の前記噴風シャッターは、前記噴風導入口に連通する第1連通路を開閉する噴風導入口シャッターと、前記噴風入口に連通する第2連通路を開閉する噴風入口シャッターとを備えていることを特徴とする。この発明の前記噴風シャッターの下端部に、前記吸引ファンの吸引口を開閉する吸引口シャターが設けられていることを特徴とする。
【０００９】
この発明は、精米時には、前記吸引ファンにより精米室内の糠を吸引させるとともに、前記シャッター機構は前記噴風導入口を閉にして前記噴風ファンによる噴風を前記噴風入口のみに供給するように制御され、
残米排出時には、前記吸引ファンによる糠の吸引を停止させるとともに、前記シャッター機構は前記噴風導入口を開にして前記噴風ファンによる噴風を前記噴風入口及び前記精米室の穀粒通路の上流側に供給する様に制御されることを特徴とする。
この発明の前記シャッター機構は、残米排出時に、前記噴風導入口への噴風供給量を前記噴風入口のそれより多くなるように制御することを特徴とする。
【００１０】
この発明の前記吸引ファンと前記噴風ファンは、同一回転軸に設けられ、精米時には共に回転し、残米排出時には、前記両ファンが同時に回転するか、又は、噴風ファンのみが回転することを特徴とする。
【発明の効果】
【００１１】
本発明は前記のように構成したので、精米時に、シャッター機構を操作して玄米ホッパーの排出口を開、噴風導入口を閉にして吸引ファン及び噴風ファンを回転させると、精米室の除糠網から糠が吸引されるとともに、噴風が噴風入口から噴風流路内に入り噴風出口から穀粒通路内に流れ込む。そのため、精米室内の穀粒の粒々摩擦により発生した熱は、前記噴風により冷却されるとともに、発生した糠も噴風に吹かれて白米から剥離しやすくなるので、除糠効果を向上させることができる。
【００１２】
また、残米排出時に、シャッター機構を操作して玄米ホッパーの排出口を閉、噴風導入口及び噴風入口を開、吸引ファンの吸引口を閉にして吸引ファン及び噴風ファンを回転させると、前記噴風導入口から穀粒通路内に噴風が供給され、この噴風は噴風流路の噴風出口から噴出される噴風と合流して合成噴風となる。そのため、精米室内の残留米は、前記合成噴風により強い押圧力を受けるので、確実に且つ効率的に精米室から排出される。  
又、シャッター機構は、単純な構造なので、精米機の構成を簡略化できる。
【発明を実施するための最良の形態】
【００１３】
以下に、本発明の実施形態を図１〜図５を参照して詳細に説明する。
精米機１は、本体ケース２内の上部に玄米Ｇを収納する玄米ホッパー３と、該玄米ホッパー３と玄米落下路４８を介して連通する精米室４と、該精米室４に内蔵された精米ロール１６と、該精米室４の出口近傍に設けられ、精白圧力を調整する白度調整部６と、同一回転軸に設けられている噴風ファン７と吸引ファン８と、玄米ホッパー３に隣接して配設されたシャッター機構と、が設けられている。
【００１４】
玄米ホッパー３は、底部が斜面に形成され、最低部に玄米Ｇを排出する排出口１１が設けられている。従って、排出口１１を開状態に制御すれば、玄米Ｇは自然落下により精米室４の送穀部４ａに向けて排出されることになる。なお、排出口１１の玄米シャッターの開閉制御は、前記シャッター機構９により行われる。
【００１５】
精米室４には、精米ロール１６が内蔵されている。この精米ロール１６は筒状体部と、該筒状体部に同心状に遊嵌合されている回転軸と、前記筒状体部と回転軸とを固定し、一体にする連結密封手段と、を備えている。前記筒状体部の内周面と回転軸との間には、噴風流路Ｌが形成され、その噴風入口４２は精米ロール１６の送穀ロール部側に形成され、又、その噴風出口１６ｃは精米ロール１６の精白ロール部に設けられている。
【００１６】
前記噴風出口１６ｃは、軸方向に伸びるスリットであり、その幅は穀粒の粒径より小さな幅に形成されている。又、前記スリット１６ｃの攪拌羽根１６ｂ側の孔壁１６ｄは、筒状体部の内周円の接線Ｔ上に位置し、そのスリット長さは、精白ロール部の長さの半分位に形成されている。前記スリット１６ｃの長さ、幅、等は必要に応じて適宜選択することが出来る。
【００１７】
前記回転軸は、回転シャフト１５に連結され、該回転シャフト１５は、ハウジング１２に一対の軸受１３、１４により回転自在に支持されている。精米ロール１６の外側面の形状は、送穀部４ａ内に介在する送穀ロール部と精白部５内に介在する精白部とで異なっている。
【００１８】
即ち、前記送穀ロール部の外側面は、螺旋状の送りスクリュー１６ａに形成され、回転シャフト１５と一体に回動することにより、玄米Ｇを精白部５方向に搬送するように構成されている。これに対し、前記精白ロール部の外側面は、図３に断面構造で示したように、攪拌羽根１６ｂが形成されている。該攪拌羽根１６ｂは、軸方向に伸びる一対の長方形状の板体から構成され、軸方向に対して少し傾斜して設けられている。
【００１９】
精白部５は、玄米を粒々摩擦により精白するとともに、精米から米糠を除去するためのものであり、精米ロール１６の外周囲全体を筒状の除糠金網１７で覆った構造になっている。除糠金網１７の網目は、粉状の米糠は通過させるものの、精白された米は通過させない程度の大きさに設定されている。精白部５の端部には除糠金網１７を固定する口金１８と、精白した米を排出する白米出口１９が設けられている。
【００２０】
白度調整部６は、米の精白度を設定するものであり、精白度を指示する操作つまみ２１、前記操作つまみ２１の操作によって位置制御される抵抗板２２等により構成されている。精白度を上げる場合は、操作つまみ２１を操作して抵抗板２２を白米出口１９に接近させ、白米出口１９から排出される精米の量を少量に制御する。この結果、精米室４内における米の滞留時間が長くなり、精白度が高くなる。
【００２１】
これに対し、精白度を下げる場合は、抵抗板２２を白米出口１９から離して抵抗を小さくし、該白米出口１９から排出される米の量を大量にする。この結果、精米室４内における米の滞留時間が短くなり、精白度が下がる。
【００２２】
噴風ファン７と吸引ファン８は同一回転軸７ａに固定されている。該回転軸７ａには、プーリー２８が設けられ、このプーリー２８は、Ｖベルト２９を介して大径プーリー２５に連結されている。前記大径プーリー２５は回転シャフト１５に連結されている。このシャフト１５の端部には、小径プーリー２６が固定され、この小径プーリー２６は二連Ｖベルト２７を介して精米用モータ（図示省略）に連結されている。
前記精米用モータを回転駆動することにより、回転シャフト１５と精米ロール１６とが一体に回動し、これと同時に墳風ファン７、吸引ファン８が回転する。
【００２３】
シャッター機構９は、操作つまみ３５によって上下方向にスライド操作されるシャッター板３６を備えている。前記シャッター板３６は、シャッタースライド室に配設され、操作つまみ３５が固定されている水平部３６ａと、前記玄米ホッパー３の排出口１１を開閉する垂直状の玄米シャター３６ｂと、前記玄米シャッター３６ｂに間隔をあけて対向している垂直状の噴風シャッター９ｂ、とを備えている。
【００２４】
前記噴風シャッター９ｂには、開口部３７ａ、３７ｂが設けられているが、前記開口部３７ａの上方側には噴風導入口３１に連通する第1連通路９Ｒ１を開閉する噴風導入口シャター９ｂ１が設けられている。また、その下方側には通気口４１、噴風入口４２に連通する第2連通路９Ｒ２を開閉する噴風入口シャッター９ｂ２が設けられ、又、該噴風シャッター９ｂの下端部には吸引ファン８の吸引口８ａを開閉する吸引口シャッター９ａが設けられている。
前記第１連通路９Ｒ１と第２連通路９Ｒ２の開口面積は等しく形成されているが、この断面積の大きさは必要に応じて適宜選択され、例えば、第１連通路９Ｒ１の開口面積を第２連通路９Ｒ２より大きくし、噴風導入口３１に供給される噴風量を、噴風入口４２に供給されるそれより多くしても良い。1
前記排出口１１と前記噴風導入口３１は、ほぼ対向する位置に設けられているが、各位置は必要に応じて適宜選択することができる。
【００２５】
次に、玄米Ｇの精米作用を説明する。
精米に先立って、シャッター機構９を構成する操作つまみ３５を手動操作してシャッター板３６を下方に押動し、玄米シャッター３６ｂに設けた排出口１１を閉塞する。この状態で、玄米ホッパー３に必要量の玄米Ｇを供給する。
【００２６】
精米開始に際しては、精米モータを駆動して回転シャフト１５と精米ロール１６とを回転させるとともに、図１、図４に示すように、シャッター板３６を上方に引き上げて排出口１１を開き、玄米Ｇを矢印で示すように精米室４の送穀部４ａに落下させる。
【００２７】
一方、噴風ファン７及び吸引ファン８の何れも動作するが、精米時には図１、図４に示すように、噴風導入口３１がシャッター板３６の噴風導入口シャッター９ｂ１によって閉じられ、吸引口シャッター９ａは吸引口８ａを開放させる。そのため、精米室４には前記噴風導入口３１からの噴風は供給されない。
【００２８】
噴風ファン７から発生した噴風は、第２連通路９Ｒ２、通気口４１を介して、更に精米ロール１６の端部に間欠的に設けた噴風入口４２に入り、精米ロール１６の噴風流路Ｌを通って噴風出口１６ｃから穀粒通路Ｋ内に噴出される。
【００２９】
玄米Ｇは、精米ロール１６の回転にともない、送りスクリュー１６ａの作用によって矢印で示すように、精白部５に向けて送られる。前記玄米Ｇは、精白部５内で粒々摩擦され、攪拌羽根１６ｂにより攪拌されながら白米出口１９に向うとともに、該精米室５内の糠は、吸引ファン８の吸引作用により、強制的に除糠金網１７を通らされてサイクロン（図示省略）に回収される。
【００３０】
精米中、粒々摩擦により熱が発生するが、前記噴風流路Ｌに送り込まれた憤風が噴風出口１６ｃから噴出するので、米が冷却されるとともに、剥離した糠は除糠金網１７に向かって押圧される。精米された米は、白米出口１９、樋２０を介して精米機１外に排出され、精米容器（図示省略）に収容される。
【００３１】
前記除糠金網１７を通り抜けた米糠は、該除糠金網１７の下部に設けた漏斗状の糠受４４内に落下するが、吸引ファン８が動作しているので、該糠はダクト４５を介して吸引され、前記サイクロンに送り込まれる。
【００３２】
以上の如く精米が行われるのであるが、玄米ホッパー３からの玄米Ｇの供給がなくなると、送穀圧力が低下し、精米室４、特に、精白部５内には精白した米が残る。この米を「残米」という。
以下、前記残米の排出作用を説明する。
【００３３】
残米排出時には、操作つまみ３５を下方に押動し、図２、図５に示すようにシャッター板３６の玄米シャッター３６ｂで排出口１１を閉塞するとともに、噴風シャッター９ｂの噴風入口シャッター９ｂ２を全開、又は、半開させるとともに、噴風導入口シャッター９ｂ１を全開させる。そうすると、噴風は、前記噴風導入口３１及び噴風入口４２に送られるが、前記噴風導入口３１に供給される噴風量が、噴風入口４２に供給される噴風量より多いほうが、効率よく残米排出を行うことができる。従って、場合によっては、前記噴風入口４２に供給される噴風量を零に近い極少量にし、殆ど前記噴風導入口３１にだけ噴風を供給する様にしてもよい。  
この時、吸引口シャッター９ａは、吸引ファン８の吸引口８ａを閉じているので、該吸引ファン８による空気の流れは遮断される。
この吸引口シャターは、前記シャッター板３６に設けられているので、噴風シャター９ｂと連動するが、両者を切り離し、別個独立に操作しても良い。
白度調整部６を操作して、抵抗板２２を白米出口１９から離し、開放する。
【００３４】
この状態で噴風ファン７を駆動することにより、噴風の一部が噴風導入口３１から矢印で示すように精米室４の穀粒通路Ｋ内に流れ、他の噴風は、噴風入口４２、噴風流路Ｌ、噴風出口１６ｃを通って穀粒通路内に流れ、前記噴風と合流して、合成噴風となる。
【００３５】
この結果、精白部５内の残米は、精米ロール１６により攪拌され、前記合成噴風により強く押されながら白米出口１９に向かうので、該残米は確実に、白米出口１９から排出される。従って、容易にかつ完全に残米を排出させることが出来る。
【００３６】
又、残米排出時には、吸引ファン８による吸引がないため、残米が吸引されて除糠金網１７に強く擦り付けられることはないので、前記噴風の合流作用と相俟って残米排出が確実に、且つ効率的に行われることになる。
【００３７】
以上に本発明の一実施形態を説明したが、本発明は前記に限定されるものではなく、種々の変形が可能である。
例えば、吸引ファン８についてクラッチ（図示省略）を設け、残米排出時に切り替えて吸引ファン８の回転を停止さてもよい。この構成の場合、吸引した噴流の流路を遮断するための吸引シャッターは不要になる。
【００３８】
噴風導入口シャッターと、噴風入口シャッターと、吸引口シャッターとを別体に形成し、別個独立して操作できる様にしても良い。
又、吸引ファン８と噴風ファンの駆動源を別個独立に設け、残米排出時に、吸引ファンの駆動を停止し、噴風ファンのみ回転するようにすることもできる。
更に、除糠金網は、必ずしも金属で形成する必要はなく、金属同様の強度のある材料で形成した除糠網でも良い。
【図面の簡単な説明】
【００３９】
【図１】本発明の第１実施例を示す精米機の断面図である。
【図２】残米排出時の動作を示す精米機の断面図である。
【図３】精白室の構成を示す断面図である。
【図４】図１の要部を説明するための分解拡大図で、精米時の状態を示す図である。
【図５】図２の要部を説明するための分解拡大図で、残米排出時の動作を示す図である。
【符号の説明】
【００４０】
１      精米機
３      玄米ホッパー
４      精米室
５      精白部
６      白度調整部
７      噴風ファン
８      吸引ファン
９      シャッター機構
９ａ    吸引口シャッター
９ｂ    噴風シャッター
９ｂ１  噴風導入口シャッター
９ｂ２  噴風入口シャッター
１１    排出口
１６    精米ロール
１６ｃ  噴風出口
１７    除糠金網
１９    白米出口
３１    噴風導入口
３６    シャッター板
３６ｂ  玄米シャッター
４２    噴風入口
Ｌ      噴風流路
Ｋ      穀粒通路
【図１】
0004845829.tif 000002
【図２】
0004845829.tif 000003
【図３】
0004845829.tif 000004
【図４】
0004845829.tif 000005
【図５】
0004845829.tif 000006